(57)【要約】【課題】  紙素材のストローの強度をより強いものとすること、紙素材で曲げることが出来るストローを作り出すこと、の何れか一をまたは双方を解決すること。【解決手段】  シート状の紙１１０をその縁部に平行に巻いて両縁部ののりしろ１４０，１４５で重ねて接着して紙ストロー１００を形成する。この紙ストロー１００には、飲口１６０と吸口１７０と成る部分を除いて、山折線１２０で山折し谷折線１３０で谷折して立体部１５０を形成した。立体部１５０があることにより、この紙ストロー１００を指先で知らず潰そうとする力に対する強度がより高いものとなっている。なお紙ストロー１００は美観的にも優れたものとなっている。【選択図】            図１
2020028555.tif 000002
【特許請求の範囲】
【請求項１】
周壁面に山折線と谷折線とを折って成る折紙部を有する紙ストロー。
【請求項２】
前記折紙部がストローの軸に対して屈曲可能な機能を有する折紙である、請求項１に記載の紙ストロー。
【請求項３】
前記折紙部の横断面が多角形であり、ストローの飲口の横断面が略円形である、請求項２に記載の紙ストロー。
【発明の詳細な説明】
【技術分野】
【０００１】
この発明は折紙工学を応用することにより実現した紙製のストローに関する。
【背景技術】
【０００２】
合成樹脂製のストローを使用することで環境負荷がとても大きくなっていることから、将来はこの廃止の動きが徐々に広がって行くものと思われる。
【０００３】
実用新案登録３２１６６６３は、飲料用紙製ストローの考案であり、基材に炭酸カルシウム成分を含むストリップ状の紙を用いて、側縁部を重ねて斜め方向に巻回してその重なる部分を接着することにより、両端が連通した螺旋管体を形成したものである。炭酸カルシウム成分は天然石材を粉砕して得られるものであるため自然に優しく焼却しても安全であり、パルプ紙と比較して価格が安く、炭酸カルシウム成分により吸水性がなく防水性が高く、飲料中に挿入して軟化したり吸水したりすることがないと言う。
【発明の概要】
【発明が解決しようとする課題】
【０００４】
実用新案登録３２１６６６３はいわゆるストーンペーパーである。和紙を含むパルプ紙に水に強いものが存在する。また合成樹脂等をコーティングすることなく天然の樹脂成分を含むことでも水に強いものとすることが可能である。このような和紙を含むパルプ紙を用いたストローを提供すれば、環境の問題に大きく貢献することが出来るはずである。
【０００５】
しかしながらいわゆるストーンペーパーやパルプ紙を素材とするストローには、従来の合成樹脂製のストローのような弾力性がなく強度がやや低いと言う問題がある。また療養中の人の曲げられるストローの要望は強いが、これを提供することは中々難しい。
【０００６】
そこでこの発明は、紙素材のストローの強度をより強いものとすること、紙素材で曲げることが出来るストローを作り出すこと、の何れか一をまたは双方を解決すること課題とする。
【課題を解決するための手段】
【０００７】
上記課題の解決に先立ち当発明者は、いろいろと工夫した結果、伝統的な折紙の技術から発展して来た折紙工学に着目した。宇宙船イカロスのソーラー電力セイル（帆）に折紙工学が活かされている。小さく折り畳んだ帆を宇宙で大きく広げる技術である。折紙工学は物流やロボット分野や民生等々に応用を広げている。
【０００８】
上記課題は、周壁面に山折線と谷折線とを折って成る折紙部を有する紙ストローを提供することにより達成される。折紙部は山折線と谷折線とによって立体的な面が形成されており、この頂上部に加えられた圧力は分散されることになる。従って紙ストローの強度がより高いものとなる。なおこの折紙部にとって、吉村慶丸氏になる有名な吉村パターンは好適である。
【０００９】
紙ストローはこれをコップの飲料に差した時に、飲料を吸い込む側である吸口と、ユーザーが口を付けて飲む側である飲口とに役割分担される。その紙ストローは折紙部を全体に有していても良いし、指で摘まむ部分のように一部分に有するのでも良い。
【００１０】
紙ストローの形成に付いて、一般的にストリップ状の紙をその側縁部を重ねて斜め方向に巻回してその重なる部分を接着して紙軸を形成することが出来る（スパイラル加工）。この紙軸に折紙部を形成するのである。巻きは２重３重であると強度が得られる。或いはシート状の紙をその縁部に平行に巻いて両縁部ののりしろで重ねて接着して管体を形成するようにしても良い。両側ののりしろに同じパターンの折紙部があるようにしてこの折紙部を重ねて接着することが出来る。なお紙ストローの紙に例えば石蝋や蜜蝋を含ませることにより耐水耐油性能を加えるようにするとなお良い。
【００１１】
次に、前記折紙部がストローの軸に対して屈曲可能な機能を有する折紙であるものとすることが出来る。この折紙部にとって、かつてカメラの本体とレンズ取付部とを繋ぐ部分に使われたベローズなどのような蛇腹折になるものは好適である。
【００１２】
紙ストローは屈曲可能な折紙部を全体に有していても良いし、飲口の下の辺りに部分的に有するのでも良い。その何れにせよ紙ストローが屈曲可能な折紙部を有すると、療養中の身体に自由が利かない場合やコップと口元との位置が合っていないような場合に、極めて便利になる。
【００１３】
屈曲可能な折紙部を有するストローは、飲口と折紙部と吸口とを一続きの紙から作ることが出来る。或いは飲口と折紙部と吸口とを別々のパーツにして、これ等を組み合わせて作ることが出来る。
【００１４】
さて、屈曲可能な折紙部の横断面が多角形であり、ストローの飲口の横断面が略円形であるものとすることが出来る。上述のように飲口と折紙部と吸口とを別々の紙パーツにして組み合わることが出来るのであるから、主要部の断面形状がパーツ毎に異なっているとしても、接続部分で違いを吸収することが可能である。或いは飲口と折紙部と吸口とを一続きの紙から作る場合に、山折線と谷折線とを折って成る折紙部であるにしても、飲口や吸口の側に山折線や谷折線で折る箇所を設けなければ、飲口や吸口の横断面は円形や円形に近い形にすることが出来る。
【発明の効果】
【００１５】
環境問題を考えた時、ストローが合成樹脂製のものであってはならないとするならば、紙製のものであるべきであるし、その場合は折紙構造を有するべきものと考えた。そして折紙工学を応用することにより課題を解決することが出来た。すなわち紙素材のストローの強度をより高いものとすることが出来た。また紙素材で曲げることが出来るストローを作り出すことに成功した。
【図面の簡単な説明】
【００１６】
【図１】実施例１の説明図である。
【図２】実施例１のパターンの説明図である。
【図３】実施例２の説明図である。
【図４】実施例２のパターンの説明図である。
【発明を実施するための形態】
【実施例１】
【００１７】
図１は紙ストロー１００を説明したものであり、図２はそのパターンを説明したものである。シート状の紙１１０をその縁部に平行に巻いて両縁部ののりしろ１４０，１４５で重ねて接着して管体に形成したものである。
【００１８】
紙ストロー１００には、飲口１６０と吸口１７０と成る部分を除いて、山折線１２０で山折され谷折線１３０で谷折されて立体部１５０が形成されている。この山折線１２０と谷折線１３０とから構成される模様はいわゆるダイヤモンドパターンである。また立体部１５０は一点鎖線で表した範囲に形成されていると見て良い。紙ストロー１００の上側の一点鎖線の外が飲口１６０であると見て良い。
【００１９】
のりしろ１４０，１４５には同じパターンがあり、これが重なって立体的に接着されているため、接着強度がより高いものとなっている。また立体部１５０が形成されていることにより、この紙ストロー１００を指先で知らず潰そうとする力に対する強度がより高いものとなっている。なお紙ストロー１００は美観的にも優れたものとなっている。
【００２０】
なお類似の実施例として、図示はしないが、立体部１５０を指で摘まむ部分にのみ設けるようにする例を上げる。この意味では次に説明する屈曲部２７０は参考になる。
【実施例２】
【００２１】
図３は紙ストロー２００を説明したものであり、図４はそのパターンを説明したものである。シート状の紙２１０をその縁部に平行に巻いて両縁部ののりしろ２４０，２４５で重ねて接着して管体に形成したものである。
【００２２】
紙ストロー２００には、飲口２８０の下の辺りに部分的に山折線２２０で山折され谷折線２３０で谷折されて、主要な立体部である屈曲部２７０が形成されている。この山折線２２０と谷折線２３０とから構成される模様はいわゆる蛇腹パターンである。また屈曲部２７０は一点鎖線で表した範囲に形成されていると見て良い。すなわち屈曲部２７０より上側に飲口２８０が、また下側に吸口２９０が形成されていると見て良い。
【００２３】
紙ストロー２００では更に、のりしろ２４０，２４５に平行な山折線２５０，２５５で山折されて、副次的な立体部である面取２６０が形成されている。この構造によって飲口２８０と吸口２９０とを軸方向から見た形が屈曲部２７０と同じ８面となっている。口に銜え易くもある。なお山折線２５０，２５５を設けずに山折しない状態では、飲口２８０と吸口２９０の横断面の形は円形や円形に近い曲面となる。
【００２４】
のりしろ２４０，２４５には同じパターンがあり、これが重なって立体的に接着されている。また立体的な屈曲部２７０が形成されていることによって、この部位で紙ストロー２００を曲げることが出来る。なお屈曲部２７０ではこの紙ストロー２００を指先で知らず潰そうとする力に対する強度がより高いものとなっている。屈曲部２７０はしっかりとした摘みともなる。
【００２５】
なお類似の実施例として、図示はしないが、屈曲部２７０がストローの全体に現われるように設計することが出来る。これは美観的にも優れたものである。
【産業上の利用可能性】
【００２６】
この発明は、たとえ紙素材のストローであっても、強度のより高いものや曲げることが出来るものを提供することに成功しているため、この発明の産業上の価値には高いものがある。上述したように治療用の患者が使用するストローとしての価値も見逃せない。この発明は内ストローと外ストローとから成る二重ストローや、工業用のストローに対しても有用である。
【符号の説明】
【００２７】
１００…紙ストロー、１１０…紙、１２０…山折線、１３０…谷折線、１４０…のり
しろ、１４５…のりしろ、１５０…立体部、１６０…飲口、１７０…吸口、
２００…紙ストロー、２１０…紙、２２０…山折線、２３０…谷折線、２４０…のり
しろ、２４５…のりしろ、２５０…山折線、２５５…山折線、２６０…面取、２７０…
屈曲部、２８０…飲口、２９０…吸口
【図１】
2020028555.tif 000003
【図２】
2020028555.tif 000004
【図３】
2020028555.tif 000005
【図４】
2020028555.tif 000006